(57)【要約】  磁気読み取り装置のヘッドに接触させない磁気ストライプ送信機能を有する、支払いカードの取り込み、記憶、及び、送信装置のためのシステム及び方法を提供する。当該装置は、ドライバ及びインダクタを含む磁界送信機、マイクロプロセッサ、メモリ記憶装置若しくはセキュア要素、電池、磁気ストライプ読み取り装置ＭＳＲ、磁気ストライプ・カード・データを取り込み、データをセキュアに記憶し、このようなデータを小売業者の販売時点管理ＰＯＳ端末に送信するための消費者用モバイル通信装置及びウォレット・アプリケーションと併せて作動する、オーディオ・ジャック・インターフェイス、チェックアウト・システム、又は、他のＭＳＲ装置を含む。該システムによって、購買者にとって便利な購買経験がもたらされ、販売者にとってセキュアで有益なトランザクションがもたらされる。
2016513294.tif 000002
【特許請求の範囲】
【請求項１】
磁気ストライプ・カードの取り込み、記憶、及び、送信装置のためのシステムであって、
モバイル通信装置と、
マイクロプロセッサ、磁気ストライプ読み取り装置（ＭＳＲ）、ドライバ及びインダクタを含む磁界送信機、電池及び再充電回路、メモリ手段、オーディオ・ジャック・インターフェイス、並びに、通信インターフェイスを含む磁気ストライプ・トランスポータ（ＭＳＴ）と、を含み、
前記ＭＳＴは、前記オーディオ・ジャック・インターフェイス又は前記通信インターフェイスを通して前記モバイル通信装置とインターフェイスし、
前記ＭＳＴは、磁気ストライプ・データを取り込んで、暗号化された前記磁気ストライプ・データを前記メモリ手段に記憶するように、及び、前記磁気ストライプ・データを小売業者用販売時点管理（ＰＯＳ）又は他のＭＳＲ装置へと解読し且つ送信するように適合した、システム。
【請求項２】
前記モバイル通信装置は、モバイル・ウォレット・アプリケーションと、正当なモバイル・ウォレット・アカウントであって、前記モバイル・ウォレット・アカウントが正しく認証されると、前記ＭＳＴを初期化し且つロック解除する正当なモバイル・ウォレット・アカウントとを含み、前記ＭＳＴは１度に１つの正当なモバイル・ウォレット・アカウントでのみ動作可能である、請求項１に記載のシステム。
【請求項３】
前記磁気ストライプ・データは支払いカード・データであり、前記モバイル通信装置は、前記ＭＳＴと相互作用して、前記ＭＳＴから前記支払いカード・データを受け入れる支払いＰＯＳ又はチェックアウト・アプリケーションをさらに含む、請求項２に記載のシステム。
【請求項４】
前記モバイル・ウォレット・アプリケーションは、初期化及び再設定モード、カードロード／カード削除モード、送信及び使用モード、切断送信モード、並びに、ＰＯＳカード読み取りモードのうちの少なくとも１つを含む動作モードをもたらすように、前記ＭＳＴと相互作用する、請求項１に記載のシステム。
【請求項５】
前記初期化及び再設定モードで動作する前記ＭＳＴは、ユーザが前記ウォレット・アプリケーションを通して正当なモバイル・ウォレット・アカウントに対して新規の又は再設定された前記ＭＳＴをペアリングできるように構成され、且つ、前記ＭＳＴのシリアル番号を特定の前記正当なモバイル・ウォレット・アカウントに関連付けることで、ペアリング済みＭＳＴは、ペアリングした前記特定の正当なモバイル・ウォレット・アカウントでのみアクセス可能であるか使用可能である、請求項４に記載のシステム。
【請求項６】
前記カードロード／カード削除モードで動作する前記ＭＳＴは、ユーザが前記ＭＳＴの前記ＭＳＲ上でカードを読み取り、カード・データを暗号化されたカード・トラック・データに変換して前記ＭＳＴ上の前記メモリ手段に記憶できるように構成され、前記暗号化されたカード・トラック・データをまた、前記モバイル通信装置及びウォレット・アプリケーションを介してウォレット・サーバに送信することで、前記サーバは、前記カード・トラック・データを解読し、且つ、前記カード・トラック・データを前記モバイル・ウォレット・アカウントの名前にマッチさせることができるようにする、請求項４に記載のシステム。
【請求項７】
前記ＭＳＴは、カード発行者及びウォレット・アプリケーション・プロバイダが、暗号化された又は暗号化されていないカード・トラック・データを、サーバから遠隔に前記ＭＳＴ上の前記メモリ手段にロードできるように構成された、請求項４に記載のシステム。
【請求項８】
前記ＭＳＴは、ウォレット・アプリケーション・プロバイダが、ロイヤルティ・アカウント情報を磁気ストライプ・データと共に、トランザクションの終了時に前記発行者によって読み取られる前記トラック・データの任意のフィールドにロードできるように構成された、請求項４に記載のシステム。
【請求項９】
前記送信及び使用モードで動作する前記ＭＳＴは、ユーザが、デフォルト・カードとして前記ＭＳＴに記憶された特定の支払いカード又は非支払いカードを選択して送信できるように、且つ、前記デフォルト・カードを変更できるように構成された、請求項４に記載のシステム。
【請求項１０】
前記切断送信モードで動作する前記ＭＳＴは、ユーザが、前記ＭＳＴに対する前記ウォレット・アプリケーションの認証後、前記ＭＳＴをロック解除できるように、且つ、前記ＭＳＴを前記モバイル通信装置から外すか切断して所定の期間の間そのままにして、前記ＭＳＴ上のボタンの押下に応答して、前記ＭＳＴ上に記憶されたデフォルト支払いカードを前記小売業者用ＰＯＳシステムの前記ＭＳＲ又は他のＭＳＲ装置に送信できるように構成された、請求項４に記載のシステム。
【請求項１１】
前記切断送信モードで動作する前記ＭＳＴは、前記ウォレット・アプリケーションに対して最初に認証を行わずにデフォルト・カードを送信できるようにすることによって、磁気ストライプ・データを送信できるように構成された、請求項４に記載のシステム。
【請求項１２】
前記モバイル通信装置は、スマートフォン、タブレット、及び、パーソナル・コンピュータのうちの１つである、請求項１に記載のシステム。
【請求項１３】
前記ＭＳＴは、送信時に照明し且つ電池容量を示すように適合した発光ダイオード（ＬＥＤ）インジケータをさらに含む、請求項１に記載のシステム。
【請求項１４】
前記ＭＳＴは、前記ＭＳＴ上又は前記モバイル通信装置上のどちらかにあるとすることができるセキュアなメモリ手段又はセキュア要素に支払いカード・トラック・データを記憶する、請求項１に記載のシステム。
【請求項１５】
前記ＭＳＴは、磁気支払いカードのトラック・データを読み取るように、且つ、小売業者のアカウント情報による解読及び処理のために支払いサーバに送信されるように、前記支払いカード・トラック・データを前記モバイル通信装置上のＰＯＳアプリケーションに送信するように構成された、請求項１４に記載のシステム。
【請求項１６】
磁気ストライプ・カードの取り込み、記憶、及び、送信装置のための方法であって、
モバイル・ウォレット・アカウントの正しい認証の受信時に、磁気ストライプ・トランスポータ（ＭＳＴ）を初期化及びロック解除し、
磁気ストライプ・カード・データを取り込み、
暗号化された前記磁気ストライプ・カード・データを前記ＭＳＴのメモリ手段に記憶し、
前記暗号化された磁気ストライプ・カード・データを解読し、
前記解読された磁気ストライプ・カード・データを小売業者用販売時点管理（ＰＯＳ）装置又は他の磁気ストライプ読み取り装置（ＭＳＲ）に送信する、ステップを含む、方法。
【請求項１７】
前記ＭＳＴを前記モバイル・ウォレット・アカウントとペアリングするステップと、前記ＭＳＴのシリアル番号を前記モバイル・ウォレット・アカウントに関連付けるステップとをさらに含む、請求項１６に記載の方法。
【請求項１８】
ユーザが前記ＭＳＴを再設定することを許可するステップをさらに含む、請求項１６に記載の方法。
【請求項１９】
ユーザが前記ＭＳＴの磁気ストライプ読み取り装置（ＭＳＲ）上でカードを読み取れるようにし、
前記カード上のデータを暗号化されたカード・トラック・データに変換し、
前記暗号化されたカード・トラック・データを前記ＭＳＴのセキュアなメモリ手段に記憶し、
前記暗号化されたカード・トラック・データをモバイル通信装置を介してウォレット・サーバに送信することで、前記サーバは、前記暗号化されたカード・トラック・データを解読し、且つ、前記カード・トラック・データを前記モバイル・ウォレット・アカウントの名前にマッチさせることができるようにするステップと、をさらに含む、請求項１６に記載の方法。
【請求項２０】
ユーザが、デフォルト・カードとして前記ＭＳＴに記憶された特定の支払いカードを選択して、接続又は切断モードで送信できるようにするステップをさらに含む、請求項１６に記載の方法。
【請求項２１】
ユーザが、前記ＭＳＴに対するウォレット・アプリケーションの認証後、前記ＭＳＴをロック解除できるようにし、
前記ＭＳＴを前記モバイル通信装置から切断してそのままにすることができるようにして、前記ＭＳＴ上のボタンをアクティブにすると、ユーザ又は小売業者が、前記ＭＳＴ上のデフォルト・カードを前記小売業者用ＰＯＳシステムのＭＳＲに送信できるようにするステップと、をさらに含む、請求項１６に記載の方法。
【発明の詳細な説明】
【技術分野】
【０００１】
本開示は、モバイル・ウォレット（wallet）・アプリケーションを実装するためのシステム及び方法に関する。
【背景技術】
【０００２】
磁気ストライプ・データの送信は、主に、磁気ストライプ・カードを磁気ストライプ読み取り装置（ＭＳＲ：Ｍａｇｎｅｔｉｃ  Ｓｔｒｉｐｅ  Ｒｅａｄｅｒ）に読み取って(swipe)、支払い、識別（ＩＤ：Ｉｄｅｎｔｉｆｉｃａｔｉｏｎ）、及び、アクセス制御機能を有効にすることによって、行われている。スマートフォン及びタブレット上のモバイル・ウォレット・アプリケーションを、既存の小売業者用販売時点管理（ＰＯＳ：Ｐｏｉｎｔ  ｏｆ  Ｓａｌｅ）装置又はＭＳＲを有する他の装置と相互作用させるのは困難である。非接触型読み取り装置対応ＰＯＳ端末（典型的には、例えば、ＩＳＯ１４４４３規格を使用する）は、非接触型又は近距離無線通信（ＮＦＣ：Ｎｅａｒ  Ｆｉｅｌｄ  Ｃｏｍｍｕｎｉｃａｔｉｏｎ）支払いを受け入れるためにユビキタス(ubiquitous)でない。ＮＦＣ電話、又はバーコードのような他の送信手段と相互作用させるためだけに、単に磁気ストライプ・カードを受け入れる非常に多数の小売業者用ＰＯＳ装置又はドア・ロックを取り替えることは、費用がかさみ時間がかかることになる。
【０００３】
多くの国では、発行される非接触型支払いカードの数は、消費者に発行される磁気ストライプ・カードの数と比べて依然として少ない。非接触通信機能を有するＮＦＣチップは、いくつかの携帯電話に埋め込まれており、セキュアなカード保有者の情報を記憶するためのデジタル・ウォレットとして、グーグル及びＩＳＩＳなどの企業によって使用されている。これらのＮＦＣチップベースのデジタル・ウォレットは、限られた数のＮＦＣ対応のＰＯＳ装置による非接触型支払いトランザクションにおいて使用可能であるが、これらのＮＦＣチップベースのデジタル・ウォレットにはかなりの制約がある。
【０００４】
ＮＦＣチップが埋め込まれた電話はほとんどないため、このモバイル・ウォレット解決策の一般大衆への浸透は大幅に限られたものになっている。また、カード保有者の支払い証明書(payment credential)支払いをＮＦＣチップのメモリにロードするプロセスは複雑で費用がかかる。特に、ＮＦＣチップのメモリのロードは、信頼できるセキュリティ・マネージャ（ＴＳＭ：Ｔｒｕｓｔｅｄ  Ｓｅｃｕｒｉｔｙ  Ｍａｎａｇｅｒ）を必要とする。支払いカード発行者は、このようなＴＳＭに対して署名し、且つ、このようなサービスに対して支払いしなければならない。
【０００５】
特に、発行者からＴＳＭへの一連の送信途中で、インターネットへ、携帯電話会社のネットワークを介して電話へ、チップへのロード・プロセスの一部が失敗に終わる時、ロード・プロセスの作業を円滑に行うために、技術的複雑度が多様にある。さらに、全ての規格によって解決しているわけではなく、多数の競合し合う製品があり、ユビキタスにすることはより困難になっている。
【発明の概要】
【発明が解決しようとする課題】
【０００６】
本開示は、物理的環境及び仮想環境において、小売業者の従来の販売時点管理（ＰＯＳ）端末、及び、磁気ストライプ読み取り装置（ＭＳＲ）又はチェックアウト・システムを有する他の装置への磁気ストライプ・カード・データの取り込み（capture）、記憶、及び、送信を行うためにモバイル・ウォレット・アプリケーションと併せて使用するための、磁気ストライプの取り込み、記憶及び送信装置を含む装置、システム、並びに、方法に関する。当該システムによって、消費者にとって便利な購買経験、小売業者にとってセキュアで有益なトランザクション、及び、場合によっては、ロイヤルティ、識別（ＩＤ）、又は、アクセス制御の目的でＭＳＲに送信される追加データがもたらされる。
【課題を解決するための手段】
【０００７】
一態様では、磁気ストライプ支払いカード・データのセキュアな取り込み、記憶、及び、送信を行うためのシステムは、モバイル通信装置及びモバイル・アプリケーション、並びに、磁気ストライプ・トランスポータ（ＭＳＴ：Ｍａｇｎｅｔｉｃ  Ｓｔｒｉｐｅ  Ｔｒａｎｓｐｏｒｔｅｒ）・ドングル（dongle）を含む。ＭＳＴドングル及びＭＳＴは、マイクロプロセッサ、ドライバ、及び可変の磁界を生成できるインダクタを含む磁界送信機、電池、充電回路、磁気ストライプ読み取り装置（ＭＳＲ）、メモリ手段又はセキュア要素、オーディオ・ジャック・インターフェイス、並びに、物理的環境及び仮想環境において、磁気ストライプ・カード・データを取り込み、データをセキュアに記憶し、このようなデータを小売業者の販売時点管理（ＰＯＳ）又はチェックアウト・システムに送信するための消費者用モバイル装置及びウォレット・アプリケーションと併せて作動する通信インターフェイス（例えば、ＵＳＢインターフェイス、３０ピン又は９ピンのアップル・インターフェイス、ブルートゥース・インターフェイスなど）を含む。
【０００８】
本開示の態様は、１つ又は複数の特徴を含むことができる。モバイル通信装置は、ＭＳＴを初期化して特定のウォレット・アカウントで使用し、且つ、ＭＳＴをロック解除して送信及び使用するモバイル・アプリケーションを含むことができる。モバイル通信装置を、ＭＳＴと相互作用するモバイル通信装置又はインターネット上の支払いチェックアウト・アプリケーションとともに使用して、支払いカード・データをＭＳＴから受け入れ、当該支払いカード・データを支払いサーバに送信して、小売業者用ＰＯＳアプリケーション又は消費者用チェックアウト・アプリケーションとしてのトランザクションを処理することができる。モバイル・ウォレット・アプリケーションは、例えば、初期化及び再設定モード、カードロード／カード削除モード、送信及び使用モード、切断送信モード、並びに、ＰＯＳカード読み取りモードを含む種々の動作モードにおいて、オーディオ・ジャック又は他の通信インターフェイスを介してＭＳＴと相互作用することができる。
【０００９】
一態様では、初期化及び再設定モードで動作するＭＳＴは、ユーザがモバイル・ウォレット・アカウントによって特定のＭＳＴをペアリング及びペアリング解除／再設定できるようにし、且つ、１アカウントにつき１装置のみを可能にするように構成される。カードロード／カード削除モードで動作するＭＳＴは、ユーザが、ユーザの既存のプラスチック製磁気ストライプ・カードをＭＳＴ上のＭＳＲによって読み取る(swipe)ことによって、磁気ストライプ・カード・データをロードし、且つ、メモリ手段又はセキュア要素においてカード・トラック・データを記憶することができるように構成される。支払いカードについて、アプリケーションは、モバイル・ウォレット・アプリケーションを介してオンライン・デジタル・ウォレットへ、当該カードの主口座番号（ＰＡＮ：Ｐｒｉｍａｒｙ  Ａｃｃｏｕｎｔ  Ｎｕｍｂｅｒ）データをロードする。メモリ手段及び該アプリケーションを使用するサーバからカード情報を削除することもできる。送信及び使用モードで動作するＭＳＴは、ユーザが、ボタンをアクティブにする又は押下する時、ウォレットの最上位又はデフォルト・カードとして特定の支払いカードを選択して、小売業者用ＰＯＳシステムへの記憶したトラック・データの送信時にカードを使用することができるように構成される。別の態様では、非支払いカードがＭＳＴに記憶される場合、１つの非支払いカードをデフォルト・カードとして記憶して、ウォレット・アプリケーションに対する認証を行わず、且つ、このようなカードを選択せずに送信することができる。非支払いカードには、ホテルのキー、出入口通行証、又は、別個のメモリ手段でＭＳＴにロードして後に送信できるＩＤ及びロイヤルティ・カードが含まれる。
【００１０】
ＰＯＳカード読み取りモードで動作するＭＳＴは、ユーザが、支払いカードをＭＳＴのＭＳＲによって読み取って、カード・データをモバイル通信装置上のＰＯＳアプリケーションに、その後、支払いサーバ及びプロセッサに送信することができるように構成される。モバイル通信装置は、スマートフォン、タブレット、又は、パーソナル・コンピュータであってよい。ＭＳＴはさらに、電池及び充電回路を含む。マイクロプロセッサは、モバイル通信装置にセキュリティ及び通信をもたらすように構成される。メモリ手段は支払いカード・データをセキュアに記憶する。ＭＳＴは、モバイル通信装置上の小売業者用チェックアウト・アプリケーションにカード・トラック・データを送信して、小売業者のためのカード提示トランザクションをもたらすように構成される。ＭＳＴは、支払いカードを読み取るように、且つ、モバイル通信装置及び関連のＰＯＳアプリケーションに支払いカード・データを送信し、当該ＰＯＳアプリケーションは、さらには、そのトランザクション及びカード・データを、ＰＯＳのような支払いサーバ及びプロセッサに送信するように構成されてもよい。
【００１１】
別の態様では、本開示は、磁気ストライプ・カード・データをセキュアに取り込む、記憶する、及び、送信するための方法を特徴とする。磁気ストライプ・トランスポータ（ＭＳＴ）・ドングルは、マイクロプロセッサ、可変の磁界をもたらすインダクタに電流及び信号を送信するように構成されるドライバ、電池、充電回路、磁気ストライプ・カード読み取り装置、メモリ手段又はセキュア要素、オーディオ・ジャック・インターフェイス、並びに、物理的環境及び仮想環境において、磁気ストライプ・カード・データを取り込み、カード・データをセキュアに記憶し、このようなデータを小売業者の販売時点管理（ＰＯＳ）端末、チェックアウト・システム、又は、他のＭＳＲ装置に送信するための消費者用モバイル通信装置、及びウォレット・アプリケーション又はモバイル・アプリケーションと併せて作動する通信インターフェイス（例えば、ＵＳＢインターフェイス、３０ピン又は９ピンのアップル・インターフェイス、及び、ブルートゥース・インターフェイスなど）を含む。
【００１２】
本明細書に開示されたシステム及び方法によって多数の利点がもたらされる。例えば、磁気カード・トラック・データを、磁気ストライプ・カード・データを改造することなく、ユーザによって又はサーバから直接ＭＳＴのセキュアなメモリ手段において取り込み且つ記憶して、後にＭＳＲ装置とともに使用することができる。支払いカードにおいて、非接触型ＰＯＳによって正しく機能させるために、カード発行者によってコード化されなければならない特殊な磁界を有する非接触又はＮＦＣトラック・データとは対照的に、磁気ストライプ・データを変更する必要はない。ＭＳＴはＰＯＳへの磁気カード・データの送信を可能にするボタンを含むことができるが、一方でＭＳＴはモバイル装置から切断されているか取り外されている。
【００１３】
ある実施例では、ＭＳＴと特定のウォレット・アカウントとの一意のペアリングは、良好なセキュリティをもたらし、ＭＳＴを再設定する能力はＭＳＴのペアリング解除及び再利用を可能にする。さらに、本開示によるシステム及び方法は、オーディオ・ジャック及びＵＳＢ以外の様々なインターフェイスを介してモバイル通信装置に接続する能力をもたらす。また、暗号化された磁気ストライプ・トラック・データをＭＳＴのメモリ手段にロードするプロセスを後に解読してＰＯＳのＭＳＲに送信するか、当該データを暗号化してモバイル通信装置に送信し、次いで、支払いサーバに伝送して解読及び処理を行い、サーバ上のウォレット・アカウントをロードするかＰＯＳトランザクションを処理することができる。
【００１４】
本開示によるシステム及び方法は、仮想チェックアウト環境のための記憶されたトラック・データ又は読み取ったトラック・データを使用して小売業者にとってよりセキュアで低価格のトランザクションが行われる能力、及び、カード発行者からウォレット・サーバ・プロバイダへ、モバイル通信装置上のウォレット・アプリケーションへ、後に使用されるＭＳＴのＳＥ又はメモリ手段へのトラック・データの遠隔ロードをもたらす。さらにまた、システム及び方法は、ロイヤルティ・アカウント情報を支払いカード・データと共に、トランザクション時に発行者によって読み取られるトラック・データの任意のフィールドにロードすることで、支払いトランザクションと組み合わせたオファー及びロイヤルティ・プログラムにつながり得る能力をもたらす。
【００１５】
消費者にとってのシームレスなユーザ体験において上記技術の全てを組み合わせて使用することによって、モバイル・ウォレットの使用頻度を高め、且つ、より説得力のあるものにして、消費者及び小売業者に価値をもたらすような、消費者に対するオファー及びロイヤルティといった多くのアプリケーション及び機能性を可能にすることができる。
【００１６】
装置、システム、及び、方法の実施例は、添付の図面の図において示され、それらは例示であり限定するものではないことを意味する。当該図では、同様の参照符号は同様の又は対応する部分に言及することが意図される。
【図面の簡単な説明】
【００１７】
【図１】磁気ストライプ・トランスポータ（ＭＳＴ）、モバイル通信装置、及び、販売時点管理（ＰＯＳ）装置の全体像の機能的なブロック図である。
【図２】初期化及び再設定モードでの動作方法のフロー図である。
【図３】カードロード／カード削除モードでの動作方法のフロー図である。
【図４】送信及び使用モードでの動作方法のフロー図である。
【図５】切断送信モードでの動作方法のフロー図である。
【図６】ＰＯＳカード読み取りモードでの動作方法のフロー図である。
【発明を実施するための形態】
【００１８】
装置、システム、及び、方法の詳細な実施例が本明細書で開示されるが、開示された実施例は、種々の形で具現化可能な装置、システム、及び、方法の単なる例示であることは理解されたい。したがって、本明細書で開示される特定の機能詳細は限定するのとしてではなく、単に、特許請求の範囲にとってのベースとして、及び、本開示を種々に利用するために当業者に教示するための象徴的なベースとして解釈されるものとする。
【００１９】
一般に、本明細書で開示される装置、システム、及び、方法は、例えば、汎用コンピューティング・システム、サーバ・クライアント・コンピューティング・システム、消費者−小売業者間コンピューティング・システム、メインフレーム・コンピューティング・システム、クラウド・コンピューティング・インフラストラクチャ、電話計算システム、ラップトップ・コンピュータ、デスクトップ・コンピュータ、スマートフォン、セルラーフォン、携帯情報端末（ＰＤＡ：Ｐｅｒｓｏｎａｌ  Ｄｉｇｉｔａｌ  Ａｓｓｉｓｔａｎｔ）、タブレット・コンピュータ、及び、他のモバイル装置を含む多数の様々な装置及びコンピュータ・システムの範囲内のものを含むことができ、実装可能である。装置及びコンピューティング・システムは、１つ又は複数のデータベース及び他の記憶機器、サーバ、並びに、例えば、プロセッサ、モデム、端末及び表示装置、コンピュータ可読媒体、アルゴリズム、モジュール及びアプリケーション、及び、他のコンピュータ関連構成要素といったさらなる構成要素を有することができる。装置、並びに、コンピュータ・システム及び／又はコンピューティング・インフラストラクチャは、本明細書に開示されるような機能を果たし、システム及び方法の処理を行うように、構成され、プログラムされ、及び、適合される。
【００２０】
説明的な実施例による、小売業者の従来の販売時点管理（ＰＯＳ）へ磁気ストライプ・カード・データを取り込み、記憶する、及び、送信するためのシステム１０の全体像を、図１を参照して説明する。システム１０は、モバイル通信装置２００とインターフェイスで接続するように適合された磁気ストライプ・トランスポータ（ＭＳＴ）１００を含む。ＭＳＴ１００及びモバイル通信装置２００は、対応するオーディオ・ジャック１０２及び２０２を通して、及び／若しくは、対応する通信インターフェイス、例えばＵＳＢポート１０４及び２０４それぞれを通して、又は、３０ピン若しくは９ピンのアップル・インターフェイス、ブルートゥース・インターフェイス及び他のシリアル・インターフェイスを含むがこれらに限定されない他の通信インターフェイス通して通信することができる。ＭＳＴ１００はまた、ドライバ及びインダクタを含む磁界送信機１５０から、小売業者用ＰＯＳ３００の磁気ストライプ読み取り装置（ＭＳＲ）３０２へ、磁気ストライプ・データを送信するように適応させることによって、小売業者用ＰＯＳ３００と相互通信する。
【００２１】
モバイル通信装置２００は、モバイル・ウォレット・アプリケーション２２０、及び、ＰＯＳアプリケーション又は支払いチェックアウト・アプリケーション２３０を含む。モバイル・ウォレット・アプリケーション２２０はＭＳＴ１００を初期化及びロック解除する。ＰＯＳ又はチェックアウト・アプリケーション２３０は、ＭＳＴ１００と相互作用し、ＭＳＴ１００からカード支払いデータを受け入れる。ＰＯＳ又はチェックアウト・アプリケーション２３０は、カード支払いデータがネットワーク１７０を介してウォレット・サーバ２６０に送信されるようにする。カード支払いデータはその後、ウォレット・サーバ２６０からトランザクション・プロセッサ２７０に送信されてよい。
【００２２】
ＭＳＴ１００は、マイクロプロセッサ１１２、発光ダイオード（ＬＥＤ：Ｌｉｇｈｔ−ｅｍｉｔｔｉｎｇ  Ｄｉｏｄｅ）・インジケータ１１４、電池１１６、充電回路１１８、磁気ストライプ読み取り装置（ＭＳＲ）１０６、メモリ記憶構成要素又はセキュア要素１０８、オーディオ・ジャック・インターフェイス１０２（例えば、３．５ｍｍ又は他の規格のオーディオ・ポート）、ＵＳＢポート／ジャックインターフェイス１０４、又は、３０ピン若しくは９ピンのアップル・インターフェイス、ブルートゥース・インターフェイス、及び、他のシリアル・インターフェイスを含むがこれらに限定されない他の通信インターフェイス、並びに、ＭＳＲを有する任意のＰＯＳ装置によって受信される磁気パルスを送信するためのドライバ及びインダクタを含む磁界送信機１５０を含む。
【００２３】
マイクロプロセッサ１１２は、モバイル通信装置２００に対するセキュリティ及び通信を扱う。マイクロプロセッサ１１２はまた、セキュア要素１０８に対して、暗号化されたカード・データの送受信を行うことができる。磁界送信機１５０は、磁気パルスをＭＳＲ３０２に送信することによって、カード保有者の磁気ストライプ・データをＰＯＳ装置３００に送信する。ＭＳＴ１００はまた、ＭＳＲ１０６をＰＯＳ装置として使用することによって他の磁気ストライプ・カードを読み取るために使用されてよい。ＭＳＲ１０６を使用して、支払いカード・データをセキュア要素１０８にロードし、且つ、モバイル通信装置２００上のＰＯＳ又はチェックアウト・アプリケーション２３０のためにカード・トラック・データを取り込むことができる。
【００２４】
モバイル通信装置２００は、モバイル・ウォレット・アプリケーション２２０、ＰＯＳ又は支払いチェックアウト・アプリケーション２３０、オーディオ・ジャック・ポート２０２、並びに／或いは、例えば、ＵＳＢポート２０４、又は、３０ピン若しくは９ピンのアップル・インターフェイス、ブルートゥース・インターフェイス、及び、他のシリアル・インターフェイスを含むがこれらに限定されない他の通信インターフェイスといった通信インターフェイスを含む。モバイル通信装置２００は、キーパッドを有する表示装置又はタッチパッド表示装置２４０、及び、中央処理装置（ＣＰＵ：Ｃｅｎｔｒａｌ  Ｐｒｏｃｅｓｓｉｎｇ  Ｕｎｉｔ）２５０も含むことができる。
【００２５】
各ＭＳＴ１００は、最初は、ウォレット・アカウントとペアリングされるようにオープンになっている。ＭＳＴ１００がペアリングされると、ＭＳＴ１００はロックされ、ＭＳＴ１００上のモード及びパラメータを変更するためにはロック解除されなけらばならないようにしても良い。ＭＳＴ１００は、ウォレット・アカウントのセットアップ後にワイヤレス通信ネットワークを介してロードする、製造時の初期ロードによって、及び／又は、モバイル・ウォレット・アプリケーションを使用してＭＳＴ１００へ直接消費者が自身のカード（複数可）のデータをロードすることによって、カード所有者のデータを記憶することができる。一般に、ウォレット・ユーザは、例えば、クラウド・コンピューティング・インフラストラクチャを介して遠隔サーバ上で、デジタル・ウォレット・アカウントをセットアップし、且つ、自身のモバイル通信装置上のモバイル・ウォレット・アプリケーションを初期化した人物である。
【００２６】
モバイル通信装置２００上のモバイル・ウォレット・アプリケーション２２０は、様々な動作モードを与えるためにＭＳＴ１００と相互作用する。様々な動作モードには、例えば、初期化及び再設定モード、カードロード／カード削除モード、送信及び使用モード、切断送信モード、ＰＯＳカード読み取りモード、並びに、オプションの他のモードが含まれる。
【００２７】
説明的な実施例による初期化及び再設定モードでの動作方法を、図２を参照して説明する。ＭＳＴは、最初に、「新規の」ＭＳＴ、又は、「再設定（reset）」する前に使用されていない若しくは「再設定」されており、且つ、関連のウォレットもカード・データも記憶されていないＭＳＴを、ブロック４００として示されるように、モバイル通信装置にプラグ接続或いは接続することによって、ウォレット・アカウントに対して初期化される。ＭＳＴをモバイル通信装置に接続すると、ブロック４０２として示されるように、ウォレット・アプリケーションは、ペアリング及びペアリング解除されたＭＳＴの状態を認識又は判断する。
【００２８】
ＭＳＴドングルが別のウォレット・アカウントに既にペアリングされている時、ブロック４０４として示されるように、ウォレット・アプリケーションは、そのＭＳＴがペアリング解除されているが、別のウォレット・アカウントにペアリングされていると認識し、ブロック４０６として示されるように、「ドングルは使用不可、別のアカウントとペアリング済み」と表示することになる。ウォレット・アプリケーションは、ウォレットのユーザがＭＳＴを不適切に使用しないようにするための不正管理のために、ブロック４０８として示されるように、許可されていないペアリングをサーバに報告することもできる。
【００２９】
ＭＳＴドングルが適切なウォレット・アカウントにペアリングされている時、ブロック４１０として示されるように、ウォレット・アプリケーションはＭＳＴがペアリングされていると認識する。ブロック４１２として示されるように、ＭＳＴを使用するか再設定することができる。適切なウォレット・アカウント・ユーザがＭＳＴを再設定して、ＳＥにおけるデータ全てを完全に消すことを所望する場合、ブロック４１４として示されるように、ユーザはウォレット・アプリケーションの設定セクションにアクセスして、「ドングルを再設定する」を選択することができる。適切なウォレット・アカウント・ユーザがＭＳＴを再設定しないように所望する場合、ブロック４１６として示されるように、ＭＳＴを使用することができ、プロセスは終了する。一態様では、いずれのユーザに対しても、ユーザのそれぞれの認証済みウォレット・アプリケーションからのＭＳＴドングルの再設定を可能とすることができる。あるユニットが再設定されると、ウォレット・アカウントに対して再び初期化又はペアリングする必要があり、同じユーザが装置を再設定する場合でも、完全に新規な装置のように、新しいカードがロードされる。
【００３０】
ＭＳＴドングルがペアリングされておらず、ＭＳＴとペアリングしたウォレット・アカウントがない時、ＭＳＴをモバイル通信装置、例えば、ウォレット・アプリケーションを有するスマートフォンに接続されると、ブロック４１８として示されるように、ウォレット・アプリケーションは、ＭＳＴがペアリング解除されているとして認識する。その後、ウォレット・アプリケーションは、ブロック４２０として示されるように、ＭＳＴがウォレット・アカウントとペアリングすべきかどうかに関して判断しなければならない場合がある。適切なウォレット・アカウント・ユーザがＭＳＴのペアリングを望まない場合、ブロック４１６として示されるように、プロセスは終了する。
【００３１】
或いは、適切なウォレット・アカウント・ユーザがＭＳＴのペアリングを所望する場合、ペアリング・プロセスが開始する。ペアリング・プロセスは、ブロック４２２として示されるように、ＭＳＴのシリアル番号を取り込むことと、ブロック４２４として示されるように、ウォレット・ユーザをもう一度認証することと、ブロック４２６として示されるように、ＭＳＴとウォレット・アカウントとを相互に関連付けることとを含むことができる。ペアリング・プロセスは、ＭＳＴドングルがウォレット・アプリケーションで使用されてＭＳＴがオンになる度に、今後認証マッチングを行うために、ブロック４２８として示されるように、ウォレット・アカウントにおいて、ペアリング情報、例えば、ＭＳＴのシリアル番号を記憶することも含むことができる。この点において、ＭＳＴは、今後、適切なウォレット・アカウントによってのみロック解除且つ使用可能である。
【００３２】
説明的な実施例による、カードロード／カード削除モードでの動作方法を、図３を参照して説明する。ブロック４３０として示されるように、ＭＳＴはモバイル通信装置に接続され、ブロック４３２として示されるように、ＭＳＴはペアリング済みとして認識される。ＭＳＴがウォレット・アカウントと「ペアリング」されていると、ウォレット・ユーザはウォレット・アプリケーションを使用して、ブロック４３４として示されるように、ＭＳＴの内蔵磁気ストライプ読み取り装置（ＭＳＲ）上で自身のカードを読み取ることによって、当該カードをロードすることができる。結果として生じるデータは、ブロック４３６として示されるように、デジタル化且つ暗号化されて、ブロック４３８として例示されるように、後に使用するために、ＭＳＴにおけるメモリ手段又はＳＥに記憶される。
【００３３】
暗号化されたデータは、ブロック４４０として示されるように、モバイル通信装置に送信されてもよい。モバイル・ウォレット・アプリケーションは、ブロック４４２として示されるように、データをウォレット・サーバに送信することができる。ブロック４４４として示されるように、データはウォレット・サーバにおいて解読され、カード保有者の主口座番号（ＰＡＮ）データ、カード番号、有効期限及び名前は、トラック・データから取り去られる（stripped）。
【００３４】
モバイル・ウォレット・アプリケーション、又は、ウォレット・サーバは、ブロック４４５として示されるように、磁気カードが支払いカードか非支払いカードかどうかに関して判断することもできる。磁気カードが非支払いカードである場合、システムは、トラック・データを非支払い送信のメモリに自動的に記憶し、且つ、ユーザが、当該カードの名称をつけ、ブロック４４７として示されるように、例えばＭＳＴ上のメモリ手段において非支払いカードを記憶することができる。
【００３５】
磁気カードが、例えば、システムが認識できる特定のフォーマットを有する支払いカードである場合、当該カードを支払いカードとして検出することができ、ブロック４４９として示されるように、システムは、支払いカード上の名前がウォレット・アカウントの名前とマッチするかどうか判断する。名前がマッチしない場合、ブロック４５１として示されるように、エラー・メッセージとして、「カード上の名前はアカウントにマッチしていない」と表示することができる。支払いカード上の名前がウォレット・アカウントの名前とマッチする場合、システムは、ＰＡＮ番号がサーバ上に既に記憶されている既存のカードにマッチするかどうかを判断し、新規のアカウントを作成するか、既存のアカウントのままにするかのどちらかを行うことができる。新規のカードが作成される場合、システムは、ＭＳＴのセキュアなメモリの支払いセクションにトラック・データを後述するように暗号化して記憶することができる。
【００３６】
ブロック４４６として示されるように、取り去ったデータがウォレット・アカウントに記憶された、任意の先に記憶したカードとマッチするかどうかに関しての判断を行うこともできる。マッチしない時は、ブロック４４８として示されるように、サーバ上のウォレット・ユーザのアカウントにおいて新規のカードを作成する。新規のカードが作成されると、システムは、ブロック４３８に示されるように、ＭＳＴのセキュアなメモリの支払いセクションにトラック・データを暗号化した状態で記憶することもできる。マッチする場合、ブロック４５０として示されるように、カードは既存のものとして識別され、且つ、カードはロードされる。
【００３７】
ある態様では、ＭＳＴは支払いカードだけでなく、任意のタイプの磁気ストライプ・カードをメモリ手段にロードする能力を有する。非支払いカードは、便宜上、セキュリティをあまり強化せずに別個に記憶することができる。例えば、いくつかの非支払いアプリケーションは、ドアを開けるためのカード、ロイヤルティ・カードなどを含むことができる。支払いデータと非支払いデータとは、２つの別個のフィールド又は記憶領域に分離してロードすることができる。ある実例では、支払いカードを非支払い記憶域にロードしないようにすることができる。例えば、支払いデータは、検出可能な特定のフォーマットを有することができ、非支払い記憶領域にロード不可能とすることができる。支払いカードは、送信前に、アプリケーションに対する認証を必要とするようにすることもできる。一方、デフォルト非支払いデータは認証なく送信されてよい。
【００３８】
ある態様では、ＭＳＴがロードする別のプロセスは、モバイル装置及びアプリケーションを通してサーバからＭＳＴへ磁気ストライプ・データを動的に送ることである。このやり方によって、動的磁気ストライプ・データをモバイル装置に送信できるように、ウォレット・ユーザの認証を行って、記憶及び／又は送信した後で、磁気ストライプ・データをサーバからＭＳＴに送信することができる。ある態様では、サーバによって生成されたトラック・データを支払いの目的で動的にロードすることができ、そうすることで、１回限りで使用する支払い証明書を、支払い時にウォレット・ユーザに対して動的に生成することができる。
【００３９】
別の態様では、ホテル又はカジノのルーム・キーをユーザのウォレット・アプリケーション又はデジタル・ウォレットに送信後、ＭＳＴに送信することができ、それによって、ユーザは、物理的にチェックインすることや列に並んで待たなくてもよくなる。ウォレット・ユーザは、ユーザのモバイル装置上のアプリケーションを介してホテルに「チェックイン」することができ（オプションで、さらなるセキュリティを確保するために、モバイル装置の場所を予約の住所とマッチさせることができる）、その後、予約サーバは、ウォレット・サーバに「キー」を送り、その後、当該「キー」は、ウォレット・アプリケーション又はデジタル・ウォレットに送信され、且つ、非支払い目的でＭＳＴのメモリ手段にロードされる。ユーザは、ＭＳＴ上の送信キーを押して、ウォレット・アプリケーションに対する認証を行わずに非支払い目的でＭＳＴに記憶された磁気ストライプ・データを送信することができる。ホテルからの「キー」又は磁気ストライプ・データは、ある期間後にサーバ側で有効期限が切れるようにすることができるため、この方法は比較的安全であり、当事者の磁気ストライプ・ホテル・キーを返し忘れても同等に対応することができる。
【００４０】
これらの態様では、システムは、サーバからＭＳＴを遠隔でロードする能力を有し、サード・パーティ、例えば、カード発行者が支払い又は非支払いカード・データを送信用にＭＳＴに動的に送ることができるようにする。正しくペアリングされたＭＳＴを、遠隔にロードするために使用しなければならない場合がある。システムは、磁気ストライプ・データが支払い又は非支払いカード・データとして記憶されるかどうか制御することができるため、システムを様々な方法において切断モードで使用することができる。この方法のアプリケーションは、１回限りの支払いに使用するためにサーバから動的支払いカードのトークンを送ること、及び、フロント・デスクに行かずにホテル・ルームのチェックインを遠隔で行うことを含むことができる。
【００４１】
新規の「キー」又は磁気ストライプ・カード・データをＭＳＴにロードし、且つ、メモリ手段のデフォルトの非支払いカード・コンテナに記憶後、さらに詳細に後述されるが「切断モード」で使用することができる。支払いカードがウォレット・アプリケーションによって選択されると、特定のカードをある期間の間、例えば、５分間有効にすることができ、この期間の間、非支払いデフォルト・カードは、ＭＳＴによって送信できなくなる。支払いカートと非支払いカードとを区別するために、支払いカードは、アプリケーションが支払いカードを検出する時に認識可能な特殊フォーマット及び銀行識別番号（ＢＩＮ：Ｂａｎｋ  Ｉｄｅｎｔｉｆｉｃａｔｉｏｎ  Ｎｕｍｂｅｒ）を有しても良い。ＢＩＮは、アカウント名に対してチェック可能であり、そのアカウント名がマッチする場合、ユーザのために記憶可能である。
【００４２】
いくつかの態様において、トラック・データはサーバ上に記憶されず、ＰＡＮデータのみ記憶される。複数のカードをメモリ手段又はＳＥにロードして後で選択又は使用することができ、支払いカードと非支払いカードとに分離することができる。ある態様では、支払いカードをウォレット・アプリケーションに対して認証してからでしか送信できない場合があり、カードを選択して切断モードで送信した後の時間は限られている場合があるが、非支払いカードは、便宜上、ウォレット・アプリケーションに対する認証を行わずに切断モードで送信したデフォルト・カードとして選択可能である。
【００４３】
一態様では、物理的な支払いカードから読み取ったカードのトラック・データ上の名前は、ＭＳＴ側とサーバ側との両方でカードをうまく記憶するために、ウォレット・アカウントの名前とマッチすべきであり、そうでない場合は、アプリケーションは、そのカードのロード・プロセスを終了せず、エラー・メッセージとしてユーザに「エラー：カード上の名前はアカウントとマッチしません」を表示する。トラック・データがＳＥに記憶されると、ユーザは、ウォレット・アプリケーションに記憶されたカードを閲覧し、且つ、支払い及び非支払いの送信のために、最上位のウォレット・カードをデフォルト・カードとして選択することができる。カード提示支払いのためにＭＳＴ上に記憶されていないカード不提示方法(card-not-present methods)を介してクラウド・コンピューティング・アーキテクチャに記憶されたカードもあってよい。しかしながら、ＭＳＴに対して記憶されたどのカードも全て、クラウド・コンピューティング・インフラストラクチャにおいてのみＰＡＮデータの同等のコピーを有するべきであり、それらのカードは、アプリケーション又はウェブ／インターネットを介してクラウド・コンピューティング・インフラストラクチャから別個に削除されなければならない場合がある。ＭＳＴを再設定することは、クラウド・コンピューティング・インフラストラクチャにおけるカード・データを消去することではない。同じＰＡＮデータを有する複製カードは異なるカードとして現れず、つまり、ユーザがクラウド・コンピューティング・インフラストラクチャにおける自身のウォレット・アカウントにおいてカード番号を遠隔に既に入力し、後に自身が同じカードを読み取って物理的な使用のためにＭＳＴにロードする場合、クラウド・コンピューティング・インフラストラクチャにおけるカードは、そのままの状態となり、ＰＡＮデータが同じ場合複製する必要はない。
【００４４】
カードがＭＳＴ上にロードされると、ウォレット・アプリケーションによって選択可能である。選択されたカードを、ＭＳＴのメモリから、及び、アプリケーションから削除することもできる。
【００４５】
さらに他の態様では、ウォレット・アカウントは、ウォレット・サーバから直接、ＭＳＴのセキュアなメモリ手段又はＳＥ上への暗号化されたトラック・データのロードを可能にすることができ、それによって、発行者はウォレット・ユーザのカード・アカウントを作成することを選び、次いで、ウォレット・サーバからモバイル通信装置へ、及び、ＭＳＴへ通信されたウォレット・アプリケーションを介してトラック・データを有する最上位のウォレット・カードとしてＳＥをロードすることができるようにする。これは、物理的に容認された使用のためのウォレット・ユーザのＭＳＴへのトラック・データの遠隔ロードの一種である。例えば、カードの発行者は、クレジットカード提供者若しくは銀行、又は、ホテル・カード、出入口通行証、若しくは、ロイヤルティ・カードの発行といった、非支払いカード提供者である可能性がある。支払いカードを、標準的な支払いカードとすることができる、又は、カード番号が、発行者のサーバ上で実際の支払いカード・アカウントを参照するトークンであるように、１回限りで使用する支払いカードとすることができる。これによって、数字は一度しか使用できないため、トークンが不正アクセスされたかコピーされたとしても、より強いセキュリティが提供可能である。
【００４６】
磁気カード・トラック・データがＭＳＴにロードされると、ウォレット・アプリケーションは、モバイル装置のカメラを使用して、カードの表面及び／又は裏面の画像を取り込み、ユーザが送信用に使用する自身のＭＳＴにおけるカードを選択可能とするようにも構成可能である。アプリケーションで選択されたカードをウォレット・アプリケーションを使用して削除し、メモリ手段から抹消することもできる。ウォレット・アプリケーションを使用して、ウォレット・ユーザの識別カードを取り込み、ウォレット・アプリケーションにおけるボタンをタッチすることにより本人確認できるものを小売業者に示すこともできる。
【００４７】
説明的な実施例による送信及び使用モードでの動作方法を、図４を参照して説明する。ＰＯＳによるトランザクションをブロック４５２において開始する。ＰＯＳの対面トランザクションでは、メモリ手段又はＳＥにおいて記憶された暗号化されたトラック・データを、ブロック４５４として例示されるように、ＭＳＴによって解読することができ、次いで、ブロック４５６として例示されるように、ＰＯＳへ送信することができる。ＰＯＳは、ブロック４５８として示されるように、データをトランザクション・プロセッサに送信することもできる。
【００４８】
遠隔トランザクションでは、ブロック４６０として示されるように、暗号化されたトラック・データを、モバイル通信装置のチェックアウト・アプリケーションに送信することができる。次いで、チェックアウト・アプリケーションは、ブロック４６２として示されるように、データを支払いサーバに送信することができる。ブロック４６４として示されるように、このデータを、チェックアウト時に対応する支払いサーバのみが解読することができ、その他の場合は、ワイヤレス若しくは有線インターネット・ネットワーク、又は、他の通信ネットワーク上での送信中にこのようなデータを傍受するモバイル・アプリケーション又は人物に対して有用としない。支払いサーバは、ブロック４６６として示されるように、解読されたデータをトランザクション・プロセッサに送信することもできる。
【００４９】
説明的な実施例による切断送信モードでの動作方法を、図５を参照して説明する。ブロック４６８として示されるように、ウォレット・ユーザは、例えば、オーディオ・ジャック又は他の通信インターフェイスを介して接続されたＭＳＴによって自身のウォレット・アプリケーションにログインする。あるカード又は複数のカードがＳＥ／セキュアなメモリにセキュアにロードされるとすると、２つ以上のカードがロードされる場合、ユーザは、ＭＳＴユニットがオンされる時ＰＯＳに送信するために使用されるデフォルト／最上位のウォレット・カードを変更することができる。一態様では、特定のカードを最初に「選択済み」とすることができる。その後、ＭＳＴ上の「選択済みカード」は、ＭＳＴがもうこれ以上支払いカードを送信できなくなる前の特定期間内に、ブロック４７０として示されるように、プラグ接続済みＭＳＴドングルによってウォレット・アプリケーションにおける「送信」ボタンを押すことによって、又は、ＭＳＴ自体における送信ボタンを押すことによって、ＰＯＳに送信可能である。送信を終了しようと試みると、ＬＥＤインジケータは、ブロック４７２として示されるように、約５００ｍｓ又は所望する他の時間の間、光、例えば、緑の光を点滅させることができる。ＭＳＴに記憶された非支払いカードのために、支払いカードがデフォルト・カード位置を無効にしない時はいつでも、デフォルト非支払いカードはＭＳＴ上のボタンを単に押すことによって送信されて利用可能であり、ＬＥＤインジケータは送信が行われていることを示す。
【００５０】
デフォルト送信モードで有効とするウォレット・アプリケーションによってＭＳＴが認証され、ブロック４７４として示されるように、ＭＳＴがモバイル通信装置から外される場合、ブロック４７６として示されるように、ドングルはオンのままで、約４分以上の間ロック解除されたままとなる。これによって、ブロック４７８として示されるように、この期間の間ＭＳＴ上のボタンを押すことによって、ＭＳＴがＰＯＳの付近にある時、カード・データの送信を終了するために、ＭＳＴドングルは小売業者又はユーザによって移送され且つ使用されることが可能になり、その後、ドングルは停止され、ウォレット・アプリケーションによって再びオンにされ且つロック解除されなければならない場合がある。この特徴は、ダイニング・テーブルから離れたＰＯＳシステムにカードを戻す必要のある多くのレストランにとって有用である。この特徴によって、ウェイターは、消費者のモバイル通信装置をＭＳＴドングルと共に利用する必要なく、ユニットがオンになる間に４分間、単にＭＳＴドングルだけを利用してＰＯＳへ移動することが可能になる。
【００５１】
ある態様では、トラック・データを、製造時にメモリ手段に記憶する、サーバによって遠隔にロードする、特殊な手順を使用してウォレット・アプリケーションを介して、必要な場合、消費者が自身の磁気ストライプ・トラック・データを非接触トラック・データに変換することによってロードする、又は、後で使用するためにＭＳＴのメモリ手段又はＳＥにそのまま直接記憶することができる。
【００５２】
説明的な実施例によるＰＯＳカード読み取りモードでの動作方法を、図６を参照して説明する。このモードによって、ＭＳＴの磁気ストライプ読み取り装置（ＭＳＲ）は、カードをロードするだけでなく、任意の小売業者用ＰＯＳアプリケーションのように支払いを受け入れるために、モバイル装置上のＰＯＳアプリケーションと共に使用される任意の磁気ストライプ・カードを読み出し且つ暗号化することによって、ＰＯＳとしての役割を果たすことが可能になる。ブロック４８０として示されるように、ユーザは、ＭＳＴのＭＳＲ上で磁気カードを読み取ることができる。ＭＳＴは、ブロック４８２として示されるように、カード上のデータを読み且つ暗号化する。データは、ブロック４８４として示されるように、モバイル通信装置上のＰＯＳアプリケーションに送信可能であり、その後、モバイル通信装置は、ブロック４８６として示されるように、データを支払いサーバに送信することができる。支払いサーバは、ブロック４８８として示されるように、支払いを処理するために、データをトランザクション・プロセッサに送信することもできる。
【００５３】
本明細書において開示される装置、システム、及び、方法によって、改造することなくユーザによってＭＳＴのセキュアなメモリ手段に取り込まれ且つ記憶され、及び、非接触型ＰＯＳで作動させるためにカード発行者によってコード化される必要がある特殊なフィールドを有する接触型又はＮＦＣトラック・データとは違って、ＰＯＳ又は他のＭＳＲ装置によって後で使用される、磁気カード・トラック・データが提供される。ＭＳＴは、磁気カード・データをＰＯＳに送信できるようにするボタンを含むが、一方でＭＳＴはモバイル装置から切断又は取り外されている。ＭＳＴが正しく送信を行う時、ＬＥＤインジケータがアクティブになる。ＭＳＴと特定のウォレット・アカウントとが一意にペアリングすることによって、ＭＳＴは、トラック・データを記憶するためにそのアカウントによってのみ使用可能となり、送信のための使用にはより良いセキュリティが与えられるようになり、ＭＳＴを再設定する能力によってＭＳＴのペアリング解除及び再利用が可能となる。ＭＳＴは、オーディオ・ジャック及びＵＳＢ接続以外の、様々なインターフェイスを介したモバイル通信装置への接続が可能である。装置、システム、及び、方法によって、暗号化された磁気ストライプ・トラック・データをＭＳＴのメモリ手段にロードすることができる。その暗号化された磁気ストライプ・トラック・データを、後で解読してＰＯＳに送信することができる、又は、暗号化されたままモバイル通信装置に送信し、次いで支払いサーバに伝送して解読及び処理を行い、サーバ上のウォレット・アカウントをロードするかＰＯＳトランザクションを処理することができる。装置、システム、及び、方法によって、小売業者がよりセキュア且つ低費用のトランザクションを行うように、仮想チェックアウト環境のために記憶されたトラック・データ又は読み取られたトラック・データを使用する能力が提供される。装置、システム、及び、方法によって、カード発行者からウォレット・サーバ・プロバイダへ、モバイル通信装置上のウォレット・アプリケーションへ、及び、後で使用するためにＭＳＴのＳＥ又はメモリ手段へトラック・データの遠隔ロード及び送信が行われる。装置、システム、及び、方法によって、支払いカード・データと共にロイヤルティ・アカウント情報をトランザクション中又は後に発行者によって読まれるトラック・データの１つ又は複数の任意のフィールドにロードする能力が提供され、これによって、オファー及びロイヤルティ・プログラムを支払いトランザクションと組み合わせることができる。
【００５４】
モバイル通信装置は、ラップトップ・コンピュータ、セルラーフォン、携帯情報端末（ＰＤＡ）、タブレット・コンピュータ、及び、そういったタイプの他のモバイル装置とすることができる。本明細書で開示されたシステム及び方法における構成要素間及び／又は装置間の通信は、有線若しくはワイヤレス構成又はネットワークを通した単方向又は双方向の電子通信であってよい。例えば、１つの構成要素又は装置を、インターネット上でサード・パーティが仲介することによって直接的に若しくは間接的に、有線接続又はワイヤレス・ネットワーク接続することができ、或いは、別の構成要素又は装置によって、構成要素間又は装置間の通信が可能になる。ワイヤレス通信の例は、無線周波数（ＲＦ：Ｒａｄｉｏ  Ｆｒｅｑｕｅｎｃｙ）、赤外線、ブルートゥース、ワイヤレス・ローカル・エリア・ネットワーク（ＷＬＡＮ：Ｗｉｒｅｌｅｓｓ  Ｌｏｃａｌ  Ａｒｅａ  Ｎｅｔｗｏｒｋ）（Ｗｉｆｉなど）、又は、ロング・ターム・エボリューション（ＬＴＥ：Ｌｏｎｇ  Ｔｅｒｍ  Ｅｖｏｌｕｔｉｏｎ）・ネットワーク、ＷｉＭＡＸネットワーク、３Ｇネットワーク、４Ｇネットワーク、及び、そのタイプの他の通信ネットワークなどのワイヤレス通信ネットワークによって通信可能な無線といったワイヤレス・ネットワーク無線を含むが、これらに限定されない。
【００５５】
装置、システム、及び、方法を、ある実施例と関連して説明及び示してきたが、多くの変形及び改造は当業者によって明らかであり、本開示の趣旨及び範囲から逸脱することなく、行うことが可能である。よって、本開示は、このような変形及び改造などを本開示の範囲内に含ませることが意図されるため、上記で示したやり方又は構成の精確な詳細には限定されない。
【図１】
2016513294.tif 000003
【図２】
2016513294.tif 000004
【図３】
2016513294.tif 000005
【図４】
2016513294.tif 000006
【図５】
2016513294.tif 000007
【図６】
2016513294.tif 000008
【国際調査報告】
2016513294.tif 000009